(57)【要約】【課題】  ２次元符号化データを読み取り、復号化処理可能な複合機などのシステムにおいて、２次元符号データを含む原稿に対して、データの再生、複号化操作環境を容易に提供することを目的とする。【解決手段】  オートドキュメントフィーダに搭載された複数原稿を１頁ずつ読取手段、２次元符号データが含まれているか判断手段、２次元符号データが含む場合、２次元符号データの内容のみ読取簡易手段、読取内容を対応ページ番号と共にリスト作成し追加する手段、リスト内容を複合機操作パネル上に表示する手段、オートフィーダに搭載された複数原稿の全頁読取終了の判断手段、終了判定の場合にリスト作成有無の判断手段、リスト作成の場合に操作メニューの指示に従い、２次元符号データの処理を行う手段、リスト非作成の場合にＡＤＦに搭載原稿に対してハードコピー動作を行う手段とから成る。【選択図】  図６
2008178014.tif 000002
【特許請求の範囲】
【請求項１】
２次元符号化データを読み取り、復号化処理可能な複合機において、
オートドキュメントフィーダに搭載された複数原稿に対し、読み取り開始を指示する読み取り開始手段と、
原稿を１ページずつ読み取るページ読み取り手段と、
前記ページ読み取り手段において２次元符号データが含まれているか否かを判断する２次元符号データ判断手段と、
前記２次元符号データ判断手段において、２次元符号データが含まれている場合、概２次元符号データの内容だけを読み取る簡易２次元符号データ読み取り手段と、
前記簡易２次元符号データ読み取り手段で読み取った内容を対応するページ番号とともにリストを作成し追加する、リスト作成、追加手段と、
前記リスト追加手段の内容を複合機操作パネル上に操作メニューとともに表示する、表示手段と、
オートフィーダに搭載された複数原稿の全ページの読み取りが終了したかを判断する、読み取り終了判断手段と、
前記読み取り終了判断手段において、終了と判定された場合、前記リスト作成、追加手段で、リストが作成されたか否かを判断する、リスト作成判断手段と、
前記リスト作成判断手段で、リストが作成された場合、前記表示手段で表示した操作メニューの指示に従い、２次元符号データの処理を行う、２次元符号データ処理手段と、
前記リスト作成判断手段で、リストが作成されていない場合、ＡＤＦに搭載された原稿に対してハードコピー動作を行う、ハードコピー手段
を含むことを特徴とするシステム。
【請求項２】
前記２次元符号データ読み取り前記読み取り手段は、前記ページ読み取り手段が終了した後、バッファ内部で平行して処理されること
を含むことを特徴とする請求項１に記載のシステム。
【請求項３】
前記読み取り開始手段は、複合機パネル上に設置された読み取り開始専用ボタンにより開始されること
を含むことを特徴とする請求項１に記載のシステム。
【請求項４】
前記２次元符号データ処理手段は、前記操作メニュー上での指示後、ＡＤＦに搭載されたドキュメントに対して、該当ページにあたるまで原稿を空送りし、再度読み取りすることで２次元符号データを処理すること
を含むことを特徴とする請求項１に記載のシステム。
【請求項５】
２次元符号化データを読み取り、復号化処理可能な複合機において、
原稿台をプレスキャンするプレスキャン手段と、
前記プレスキャン手段において、原稿に２次元符号データが含まれているか否かを判断する２次元符号データ判断手段と、
前記２次元符号データ判断手段において、原稿に２次元符号データが含まれているか否かにより２次元符号データフラグをＯＮ，ＯＦＦするフラグ設定手段と、
スタートボタンにより原稿のハードコピーを指示するコピー指示手段と、
前記コピー手段が指示され、前記フラグ設定手段において２次元符号データフラグがＯＮの場合、再度原稿の読み取りを行い、２次元符号データを復号化する復号化手段と、
前記コピー手段が指示され、前記フラグ設定手段において２次元符号データフラグがＯＦＦの場合、原稿のハードコピーを行うハードコピー手段
を含むことを特徴とするシステム。
【発明の詳細な説明】
【技術分野】
【０００１】
本発明は、複合機における２次元符号化データを利用した、デコード手段に関するものである。
【背景技術】
【０００２】
バーコード等に代表されるように、従来製品等の情報をコード化して紙(この場合ラベル等が多い)に埋め込む事が行われてきた。それをリーダで読み取る事により情報を取得し、例えば商品の管理等に利用する形態がある一方で、製品番号等だけではなく画像等の情報を２次元符号化して紙に埋め込む方法が考えられている。
【０００３】
一方で、例えば特開平１０−２４０５５０号では、情報をスキャンし、印刷先を指定し、指定先にジョブを送信し印刷する。その際、機密文書を送信しないなどジョブ実行が適切か否かを判断し処理したり、またジョブを解析し利用可能なプリンタでの印刷指示を問うなど、複合機等において原稿の情報を解析し処理する方法が開示されている。
【特許文献１】特開平１０−２４０５５０号公報
【発明の開示】
【発明が解決しようとする課題】
【０００４】
一般的な複合機等では、スタートボタンを押すと原稿台の原稿を直ちにスキャンして、ハードコピーを開始していた。２次元符号データを含む原稿の場合もコードを読まずにハードコピーをしてしまうため、音声データや画像データを再現させる、２次元符号データに埋め込まれたスクリプトを実行するなど、通常のハードコピーでなく適切な処理を行うシステムが望まれている。
【課題を解決するための手段】
【０００５】
本発明は上記課題を鑑みてなされたものであり、
２次元符号化データを読み取り、復号化処理可能な複合機において、
オートドキュメントフィーダに搭載された複数原稿に対し、読み取り開始を指示する読み取り開始手段と、
原稿を１ページずつ読み取るページ読み取り手段と、
前記ページ読み取り手段において２次元符号データが含まれているか否かを判断する２次元符号データ判断手段と、
前記２次元符号データ判断手段において、２次元符号データが含まれている場合、概２次元符号データの内容だけを読み取る簡易２次元符号データ読み取り手段と、
前記簡易２次元符号データ読み取り手段で読み取った内容を対応するページ番号とともにリストを作成し追加する、リスト作成、追加手段と、
前記リスト追加手段の内容を複合機操作パネル上に操作メニューとともに表示する、表示手段と、
オートフィーダに搭載された複数原稿の全ページの読み取りが終了したかを判断する、読み取り終了判断手段と、
前記読み取り終了判断手段において、終了と判定された場合、前記リスト作成、追加手段で、リストが作成されたか否かを判断する、リスト作成判断手段と、
前記リスト作成判断手段で、リストが作成された場合、前記表示手段で表示した操作メニューの指示に従い、２次元符号データの処理を行う、２次元符号データ処理手段と、
前記リスト作成判断手段で、リストが作成されていない場合、ＡＤＦに搭載された原稿に対してハードコピー動作を行う、ハードコピー手段
を提供することを目的とする。
【０００６】
あるいは、
２次元符号化データを読み取り、復号化処理可能な複合機において、
原稿台をプレスキャンするプレスキャン手段と、
前記プレスキャン手段において、原稿に２次元符号データが含まれているか否かを判断する２次元符号データ判断手段と、
前記２次元符号データ判断手段において、原稿に２次元符号データが含まれているか否かにより２次元符号データフラグをＯＮ，ＯＦＦするフラグ設定手段と、
スタートボタンにより原稿のハードコピーを指示するコピー指示手段と、
前記コピー手段が指示され、前記フラグ設定手段において２次元符号データフラグがＯＮの場合、再度原稿の読み取りを行い、２次元符号データを復号化する復号化手段と、
前記コピー手段が指示され、前記フラグ設定手段において２次元符号データフラグがＯＦＦの場合、原稿のハードコピーを行うハードコピー手段
を提供することを目的とする。
【発明の効果】
【０００７】
２次元符号データを含む原稿の場合、自動的あるいは最小限ステップにて、複合機および機器が２次元符号データの内容に応じて動作することが可能となる。無駄なコピー出力を抑止し、スクリプトを実行したり、音声データの自動再生を行う効果も期待できる。
【０００８】
さらに、原稿台の場合、プレスキャンによって、ファーストコピーの出力時間を遅延させないで処理する効果も期待できる。
【０００９】
さらに、複数原稿の場合、原稿途中に埋め込まれた２次元符号データの内容リストを先に生成することで、２次元符号データの再生、複号化操作環境を容易に提供することができる。
【発明を実施するための最良の形態】
【００１０】
（実施例１）
以下、本発明の一実施形態について図面を参照しながら説明する。
【００１１】
図１および図１０は、本発明の処理の全体像を示した概念図である。
【００１２】
図１０において、［１１３］は複合機（ＭＦＰ）であり、入力されたデータから２次元符号化データを生成し、プリント用紙へ出力するまでの処理を示したものである。
【００１３】
処理の対象となる入力データ［１０１］は、文書ファイル、画像ファイル、動画ファイル、音声ファイル、実行ファイルなどであり、スキャナや電話回線（ＦＡＸ）、外部媒体、ネットワーク機器から複合機に投入される。例えば、画像ファイルはスキャナで読み取られた［１０２］画像データであり、電話回線（ＦＡＸ）からの入力［１０３］や、外部媒体からの入力［１０４］、ネットワーク機器からの入力［１０５］も可能である。同様に、文書ファイルや動画ファイル、音声ファイル、実行ファイルはネットワーク機器から入力［１０５］することが出来る。
【００１４】
複合機［１１３］は、入力されたデータ［１０１］から２次元符号化データを生成して、プリント用紙へ出力［１０６］するか（［１０８］は２次元符号化されたデータのプリント結果である）、または、入力データ自体［１０１］をネットワーク機器へ送信［１０７］、送信先のネットワークアドレスに対して２次元符号化を行いプリントする［１０６］。
【００１５】
図１０において、［１１３］は複合機（ＭＦＰ）であり、スキャナから読み込んだ２次元符号化データを復号し、元データを復元するまでの処理を示したものである。
【００１６】
複合機［１１３］は、２次元符号化されたデータがプリントされた原稿［１０８］を、スキャナから読み取り［１０９］、２次元符号化データを抽出すると同時に、復号する［１１１］ことにより、復号されたデータ［１１２］、つまり図１における入力データ［１０１］を得ることが出来る。このとき復号されたデータがネットワークアドレスであった場合は、そのアドレスを参照、ネットワーク機器からファイルを取得することで、図１における入力データ［１０１］を得ることが出来る。
【００１７】
以上、本発明の全体動作について概略的に述べたが、以下において具体的な実施方法について図面を用いて詳細に説明する。
【００１８】
図２は、複合機（ＭＦＰ）［１１３］の内部構成を示したものであり、本発明の複合機のコントローラも同様の構成を取るものである。
【００１９】
図２において、［２００］は複合機全体である。複合機［２００］は、ＲＯＭ［２０２］あるいは例えばハードディスクなどの大規模記憶装置［２１０］に記憶されたソフトウェアを実行するＣＰＵ［２０１］を備え、ＣＰＵ［２０１］はシステムバス［２１３］に接続される各デバイスを総括的に制御する。
【００２０】
［２０３］はＲＡＭで、ＣＰＵ［２０１］の主メモリ、ワークエリア等として機能する。［２０５］は外部入力コントローラ（ＰＡＮＥＬＣ）で、複合機に備えられた各種ボタンあるいはタッチパネル［２０６］等からの指示入力を制御する。［２０７］はディスプレイコントローラ（ＤＩＳＰＣ）で、例えば液晶ディスプレイなどで構成される表示モジュール（ＤＩＳＰＬＡＹ）［２０８］の表示を制御する。
【００２１】
［２０４］はネットワークインタフェースカード（ＮＩＣ）で、ＬＡＮ［２１5］を介して、他のネットワーク機器あるいはファイルサーバ等と双方向にデータをやりとりする。
【００２２】
［２１１］は、例えば電子写真方式あるいはインクジェット方式などで実現される紙への印字部である。
【００２３】
［２１２］は、紙に印字された画像を読み込むための画像読み取り部である。画像読み取り部は原稿台に置かれた原稿を1枚読み取るが、多くの場合、画像読み取り部［２１２］にはオプションとしてオートドキュメントフィーダ(ADF)［２１３］が装着されており、複数枚の原稿を順次、自動的に読み込むことができる。
【００２４】
なお、大規模記憶装置［２１０］は、場合によっては画像の一時記憶場所としても使われることがある。
【００２５】
複合機［２００］における、コピー動作について本図で簡単に説明する。
【００２６】
まず、PANEL[２０６]の指示により、コピーおよび各種コピーモードが指定される。その後、画像読み取り部［２１２］は、原稿台に置かれた原稿をあるいはオートドキュメントフィーダー［２１３］に投入された原稿を読み取る。読み取られた原稿は、その画像情報を順次RAM［２０３］に格納する。容量が大きい場合はHD［２１０］への格納も行う。次に、格納された画像情報を順にPRINTER[２１１]へ送り、出力を行う。出力がすんだ画像情報はRAM[２０３]あるいは、HD[２１０]から削除されることも可能である。
【００２７】
図３は本発明における複合機[２００]の各操作部分を具体的に示したものである。図３において、３０１は図２の[２１２]で説明した画像読み取り部分として原稿台部分を示している。また、３０２は図２の[２１３]で説明した画像読み取り部分としてドキュメントオートフィーダー（ADF）を示している。３０３は図２の[２０６]で説明した、操作パネルを示している。
【００２８】
図４は前述の操作パネルの一例を示したものである。
【００２９】
図４において４０１は操作パネルの液晶パネルを示している。複合機[２００]はこのパネルにメニューを表示し、タッチパネル操作により各種ユーザのオペレーション指示や設定を受けつける。また動作中のメッセージや操作方法などを表示することが可能である。
【００３０】
４０２はスタートボタンであり、前述の操作パネル３０３の設定内容に従い、コピー動作や複合機における各種機能を実行させるものである。このスタートボタン４０２は、特に３０３での指示がなければ、デフォルトとしてハードコピー動作を行う。
【００３１】
４０３はスキャンボタンであり、前述のスタートボタン４０２とは異なり、後述する原稿を一度スキャンし原稿の種別を判別し、各種動作を行うことができるボタンである。すなわち、本ボタンの押下指示においては、直ちにハードコピー動作を実行することはない。本ボタンの色や形、配置はこの例にとどまることなく色々な構成が取れることは言うまでもない。
【００３２】
次に本発明における複合機[２００]の原稿のコピーおよび読み取り後の２次元符号化原稿の処理について以後の図、フローチャートを用いて説明する。
【００３３】
本発明では、原稿に２次元符号化データが混在しているときの、複合機[２００]で、この２次元符号化データを判別し、適宜処理を行う動作に関して記述している。通常、ユーザは複合機[２００]においてハードコピーやスキャン動作を行う場合、原稿を原稿台３０１あるいはADF３０２にセットし、指示をおこなう。
【００３４】
図５は、本発明における原稿台３０１に原稿がセットされた場合の処理を示すフローチャートである。
【００３５】
まず、ステップＳ５０１において、原稿台に原稿がセットされたことを確認する。確認する方法としては、原稿台のふたが一度開いて閉まったことで、原稿台にセットと仮定する方法が一般的である。
【００３６】
次にステップS５０２において原稿台が閉まった時点でプレスキャンを行う。このプレスキャンの過程で原稿が検地できない場合は原稿なしと判断することができる。その場合は通常の初期処理に戻り、ユーザの指示を待つことになるが、ここではその記載は割愛する。このステップS５０２におけるプレスキャンでは通常、用紙サイズなどの検知を行うが、本発明では同時に、原稿の２次元符号化データ検知のプレスキャンを行う。
【００３７】
次にステップS５０３で原稿台の原稿に２次元符号化データが含まれていた場合は、ステップS５０４に進み、２次元符号フラグをONにする。ステップS５０３で原稿台の原稿に２次元符号化データが含まれていない場合は、ステップS５０５に進み２次元符号フラグをOFFにする。
【００３８】
次にステップS５０６に進み、ユーザーの指示を待つ。
【００３９】
ステップS５０６でユーザの指示があった場合ステップS５０７へ進み、ユーザの指示が前述のスタートボタン４０２が押下か否かを判断する。S５０７でスタートボタン４０２押下以外の指示であればステップS５０９へ進み、適宜ユーザの指示に従った動作処理を行い、改めてステップS５０６へ進みユーザの指示を待つ。
【００４０】
ステップS５０７でスタートボタン４０２が押下された場合、ステップS５０８へ進み、２次元符号フラグがONか否かを判断する。
【００４１】
ステップS５０８で２次元符号フラグがOFFの場合はステップS５１１に進み、通常のスタートボタン４０２の押下時の動作として、コピー動作を行い、その後の指示をS506で待つ。
【００４２】
ステップS５０８で２次元符号フラグがONの場合はステップS５１０に進み、原稿の読み取りを行い、２次元符号データ部分のデコード処理を行うとともに内容を判別する。
【００４３】
次にステップS５１２へ進み２次元符号データの内容に従って、自動処理を行う。この場合、２次元符号化データの内容が音声で、複合機２００が音声再生機能を持っていれば、音声データを再生する。あるいは、スクリプトの実行ファイルで、複合機２００の設定のためのスクリプトであれば、そのスクリプトを実行し、複合機２００の各種設定を自動で行うことも可能である。
【００４４】
ステップS５１３では、S５１２音声データの再生やスクリプトが実行されたことをユーザに促すポップアップメッセージや、スクリプトの内容に従ったメッセージの表示などを行う。そして、S５０６に進み、次の指示を待つ。
【００４５】
次に、図６を用いて本発明における、複数原稿の処理について説明する。
【００４６】
複数原稿を処理するためにはADF２１３を使った読み取り処理が一般的である。
【００４７】
まず、S６０１でADFに原稿がセットされたことを確認する。確認する方法としては、ADFについているセンサが原稿を感知することで判断する方法が一般的である。
【００４８】
次にステップS６０２に進み、ユーザの指示を待つ。
【００４９】
ステップS６０２でユーザの指示があった場合ステップS６０３へ進み、ユーザの指示が前述のスキャンボタン４０３であるか否かを判断する。
【００５０】
ステップS６０３でスキャンボタン４０３が押下された場合、全原稿のスキャンを開始すべく、読み取りページを先頭ページとして、ステップS６０４へ進む。
【００５１】
このS６０３では、スキャンボタン４０３が押下されたか否かを判断しているが、前述のパネル２０６の液晶パネルの例４０１において、あらかじめ、スキャン等、２次元符号化処理の設定がなされており、その際にスタートボタン４０２が押下されたことで、スキャンボタン４０３が押下されたと同等に判断し、ステップS６０４に進むことも可能である。
【００５２】
ステップS６０３で、NOと判断された場合は、ステップS６０５に進み、ユーザが指示に基づいた適切な処理を行い、再びステップS６０２へ戻り、ユーザの指示を待つ。
【００５３】
ステップS６０４ではADF２１３に搭載された原稿の１ページをスキャンし読み取る。スキャンされたイメージデータは、一時的にRAM２０３に保存される。そして読み取られた原稿に２次元符号データが含まれているかをまず判断する。この判断では、単純に２次元符号データの位置情報のみ検知し、この位置情報があるか否かで判断することが可能である。
【００５４】
S６０７はその判断ステップで、読み取られた原稿に２次元符号データが含まれていた場合は、ステップS６０８へ進む。このステップS６０７で原稿に２次元符号データが含まれていない場合は、次のページの読み取りを行うべく、ステップS６１１に進む。
【００５５】
ステップS６０８ではRAM２０３に保存されたイメージデータに対してデコード処理を行い、２次元符号データの内容を確認するための情報を抽出、復号(簡易復号化処理)する。本実施例では、単純に２次元符号データの内容を確認するためのデコード処理を行い、全データに対してデコード処理をしない。そして、簡易復号化処理が済んだイメージデータは、メモリ節約のため一旦ＲＡＭ２０３から削除される。ただし、ここで、デコード処理を完全に行い、デコードされたデータをRAM２０３に引き続き保存してもよいし、また、HD２１０に保存してもよい。これらの処理はバッファ処理として行われ、本デコード処理を開始すると同時に、ステップS６０９に進む。ステップS６０９では、読み取られた原稿に対して、パネル２０６上に、２次元符号データが含まれている旨のポップアップメッセージやメニューを表示、更新する。このUIの例は後述するが、本UIはユーザが指示可能なメニューを液晶パネル４０１に表示するなど可能である。またここでいう更新とは、すでに表示されたメッセージやメニューに対して、新たにステップS６０８で読み取られた情報を追加するなどすることを意味している。すなわち、最初のページであれば、初期メニューとメッセージを表示し、２回目以降は、このメニューに情報を追加し更新したメニューを表示する。
【００５６】
ステップS６０９でUIを表示あるいは更新した後、２次元符号データが含まれているページとその内容、実際の復号化されたデータが保存されているHD２１０あるいはRAM２０３上のアドレスをリストに追加する。このリスト例は後述する。
【００５７】
次にステップS６１１に進み、ADF２１３の原稿に対し全ページの読み取りが終了したか否かを判断する。全ページの読み取りが終了していない場合は、次のページを読み取るべく、ステップS６０６へ進む。
【００５８】
ステップS６１１で全ページの読み取りが終了ならば、ステップS６１２へ進む。
【００５９】
ステップS６１２では前述のステップS６１０で２次元符号データの情報としてリストに追加されたか否かを判断する。すなわち、ADF２１３に搭載された全原稿のうち、１ページでも２次元符号データが存在していれば、YESと見なし、S６０２へ進み、ユーザの指示を待つ。この際、ステップS６０９で表示／更新されたメニューからも、ユーザの指示を受けることが可能である。
【００６０】
ステップS６１２で、NOの場合、すなわち全原稿に対して２次元符号データが含まれていない場合は、ステップS６１３に進み、通常のコピー動作をおこなう。そしてステップS６０２へ進み、ユーザの指示を待つ。
【００６１】
次に図７と図８を用いて前述の図６のフローおよび復号化の方法をさらに具体的に説明する。
【００６２】
図７はADF２１３に搭載される複数原稿の一例を示した図である。図では、全１１ページの原稿を示しており、一番手前を１ページ目としている。また、２次元符号データが含まれているページをグレイ表示しており、本原稿の例では、４ページ、８ページ、９ページ、１１ページに２次元符号データが含まれる例を示している。
【００６３】
図８は前述のステップS６０９にて表示/更新されるメニューの一例を示している。
【００６４】
図中、８０１はユーザがタッチパネル等により、適宜必要な処理対象のアイテムを選択するためのエリアである。８０２は２次元符号データのインデックス番号を示しており、図では連続した２次元符号データが、合計３個あることを示している。さらに８０３は各インデックスに対応して、２次元符号データの存在するページ番号を示している。図中、２次元符号データの含まれているページは、前述の図７の複数原稿の一例に従い、４ページ、８ページと９ページ、１１ページとなっている例を示している。ここで、８ページと９ページ目は連続した２次元符号データであることを示している。
【００６５】
さらに図中、８０４は各２次元符号データに対する内容を記述したものである。この内容は、図６のステップS６０８でスキャンされる際に判別される情報を表示している。
【００６６】
８０５はスクロールボタンであり、液晶パネル上に一度に表示しきれない場合、前述の８０１から８０４の各情報をスクロール表示させるものである。
【００６７】
さらに、図中８０６は、各２次元符号データに対しての処理の指示をタッチパネル等で受け付けるメニューである。ここでは前述の８０１で選択されたインデックスの２次元符号データに対して、それぞれ処理を行う。本実施例では、実行可能な処理の例として、５つのメニューを表示している。まず、選択され番号に対するページを単純にコピーするメニュー、選択された番号に対するページ以外をコピーするメニュー、選択に関係なく全ページをコピーするメニュー、選択された番号に対するページに対して再生を行うメニュー、およびデコード処理を行うメニューである。
【００６８】
例えば、音声データである番号２が選択された場合、メニュー８０６の再生メニューボタンを指示することで、RAM２０３あるいはHD２１０に保存された原稿の８ページと９ページに対するイメージデータをデコードし、複合機２００が音声再生機能付の複合機の場合、音声データを再生する。また、番号１の画像データが選択された場合、再生ボタンにより、液晶パネル上にイメージを表示することも可能である。さらに、デコードボタンで画像データを抽出し、プリントアウトおよびデータとしてHD２１０に保存するなどの処理も可能となる。
【００６９】
これらの処理では、選択されたページに対して、ＡＤＦに搭載されている原稿データを順次、選択されたページまでＡＤＦが自動空送りして、該当ページで止め、再読み込みを行い、デコード処理である復号化処理を行う。選択されたページが複数の場合は、ページ順に順次該当ページまでＡＤＦが原稿を自動空送りし、該当ページを再読み込みすることで復号化処理を順次行う。
【００７０】
図９は図６のステップS６１０で説明したリストの内容を示すテーブルである。このリストはテーブルデータとしてRAM２０３上に作成され、前述の図８のUIの表示および、図８における各種指示メニュー８０６を実行するための情報を格納したテーブルである。
【００７１】
図中９０１は２次元符号データのインデックスIDを示しており図８における８０２の番号に対応している。９０２は対応するインデックスに対して、２次元符号データの存在する原稿のページ番号を記録している。さらに、９０３ではその２次元符号データの内容を記録している。これらの情報は前述の図８でも説明したとおり図６のステップS６０８で生成されたデータを記録するものである。本実施の形態では、簡易復号化処理を行うため、実際のイメージデータは、簡易複合化処理後に削除されるが、前述の図６のステップＳ６０８で述べたとおり、イメージデータをRAM２０３あるいはHD２１０に保存する場合は、読み取られた実イメージデータと、ページ情報のリンクを取るため、９０４にRAM２０３あるいはHD２１０に保存されたイメージデータのアドレスを保持している。
【００７２】
すなわち、前述の図８において、選択された２次元符号データに対し、図８中８０６のメニューによって指示された処理を行う際は、前述のように、ＡＤＦ上の原稿を再度、該当ページまで空送りし、該当ページの再読み込みを行い複合化を行う方法と、前述の図６のステップＳ６０８でイメージデータをRAM２０３あるいはHD２１０に保存する場合は、その番号８０２に対応する図９のリストテーブルID９０１を参照し、そのイメージデータが格納されているアドレス９０４をたどり、実際のイメージデータを参照し、前述の図８中８０６のメニューによって指示された処理を行うことが可能となる。
【図面の簡単な説明】
【００７３】
【図１】本発明の処理の全体像を示した概念図である。
【図２】図１における複合機（ＭＦＰ）［１１３］を示すブロック図である。
【図３】図１における複合機（ＭＦＰ）［１１３］の一例を示す図である。
【図４】図１におけるパネル（ＰＡＮＥＬ）[２０６]の一例を示す図である。
【図５】本実施の形態を説明するフローチャートである。
【図６】本実施の形態を説明するフローチャートである。
【図７】本実施の形態を説明する原稿の例を示す図である。
【図８】本実施の形態を説明する操作パネルのメニューの例を示す図である。
【図９】本実施の形態を説明するリストテーブルの例を示す図である。
【図１０】本発明の処理の全体像を示した概念図である。
【符号の説明】
【００７４】
１１３，２００  複合機（ＭＦＰ）
２０１  データ処理装置
２０２  記憶装置
２０３  記憶装置
２１０  大規模記憶装置
２１１  印刷部分
２１２  画像読み取り装置
２１３  オートドキュメントフィーダー部
２１５  ネットワーク
【図１】
2008178014.tif 000003
【図２】
2008178014.tif 000004
【図３】
2008178014.tif 000005
【図４】
2008178014.tif 000006
【図５】
2008178014.tif 000007
【図６】
2008178014.tif 000008
【図７】
2008178014.tif 000009
【図８】
2008178014.tif 000010
【図９】
2008178014.tif 000011
【図１０】
2008178014.tif 000012